(57)【要約】【課題】ワインボトルのデザイン性を損なうことなく、テーブル上において開栓後のワインボトルを寝かせた状態で保持可能なワインボトル用ホルダーを提供することを目的とする。【解決手段】テーブル上において開栓後のワインボトルを寝かせた状態で保持するワインボトル用ホルダーであって、底部がテーブルで支持されたワインボトルの首部を持ち上げて支持する切欠き部を有し、前記テーブルから前記切欠き部に到達するまでの高さは、満杯のワインが入ったワインボトルを保持したときに、前記ワインがこぼれない高さであることを特徴とする。【選択図】図１
2016179102.tif 000002
【特許請求の範囲】
【請求項１】
テーブル上において開栓後のワインボトルを寝かせた状態で保持するワインボトル用ホルダーであって、
底部がテーブルで支持されたワインボトルの首部を持ち上げて支持する切欠き部を有し、
前記テーブルから前記切欠き部に到達するまでの高さは、満杯のワインが入ったワインボトルを保持したときに、前記ワインがこぼれない高さである
ことを特徴とするワインボトル用ホルダー。
【請求項２】
前記切欠き部は、半円形状である
ことを特徴とする請求項１に記載のワインボトル用ホルダー。
【発明の詳細な説明】
【技術分野】
【０００１】
本発明は、テーブル上において開栓後のワインボトルを寝かせた状態で保持するワインボトル用ホルダーに関する。
【背景技術】
【０００２】
ワインボトルを立ち上げた状態で保持すると、ワインボトルの底面にワインの澱が沈殿する。ワインボトルの中のワインをグラスへ注ぐとき、ワインボトルを立ち上げた状態からグラスに向かって大きく傾けることによって、ワインボトルの底面に沈殿した澱がワイン中で舞い上がり、澱もグラスに注がれることがある。澱がグラスに注がれると、苦みがでてワインの風味が損なわれる。特許文献１は、ワインボトルを寝かせた状態で保管するワインボトル用ホルダーを開示する。ワインボトルを寝かせた状態で保管することにより、ワインの澱をワインボトルの側面に沈殿させることができる。
【先行技術文献】
【特許文献】
【０００３】
【特許文献１】特開平１１−８９６９１号公報
【発明の概要】
【発明が解決しようとする課題】
【０００４】
しかしながら、特許文献１に記載のワインボトル用ホルダーは、ワインボトルの外周に密着し、ワインボトルが寝かせた状態で転がらないように開栓前のワインボトルを保管するものである。一方で、このワインボトル用ホルダーで開栓直後の満杯のワインボトルを寝かせると、ワインがこぼれてしまうことが考えられる。また、このワインボトル用ホルダーを外周に密着させたワインボトルをテーブル上で提供すれば、ワインボトルのラベルを隠してしまう等により、ワインボトルのデザイン性が大きく損なわれると考えられる。
【０００５】
そこで、本発明は、ワインボトルのデザイン性を損なうことなく、テーブル上において開栓直後の満杯のワインボトルを寝かせた状態で保持可能なワインボトル用ホルダーを提供することを目的とする。
【課題を解決するための手段】
【０００６】
本発明のワインボトル用ホルダーは、上記従来の課題を解決するもので、テーブル上において開栓後のワインボトルを寝かせた状態で保持するワインボトル用ホルダーであって、底部がテーブルで支持されたワインボトルの首部を持ち上げて支持する切欠き部を有し、前記テーブルから前記切欠き部に到達するまでの高さは、満杯のワインが入ったワインボトルを保持したときに、前記ワインがこぼれない高さであることを特徴とする。
【発明の効果】
【０００７】
本発明によれば、テーブル上において開栓直後の満杯のワインボトルを寝かせた状態で保持することができる。また、切欠き部によってワインボトルの首部を支持するため、ワインボトルのラベルを隠さず、ワインボトルのデザイン性が損なわれることもない。
【図面の簡単な説明】
【０００８】
【図１】本発明の実施の形態に係るワインボトル用ホルダーの斜視図である。
【図２】同ワインボトル用ホルダーの正面図及び側面図である。
【図３】同ワインボトル用ホルダーの使用状態を示す側面図である。
【図４】同ワインボトル用ホルダーの使用状態を示す側面図である。
【図５】同ワインボトル用ホルダーの使用状態を示す側面図である。
【図６】同ワインボトル用ホルダーの使用状態を示す側面図である。
【図７】切欠き部の高さを説明するための図である。
【図８】切欠き部の高さを説明するための図である。
【発明を実施するための形態】
【０００９】
以下、本発明のワインボトル用ホルダーについて、図面を参照しながら説明する。本発明のワインボトル用ホルダー１は、図１及び２に示すように、本体部２と、ステージ３とで構成される。本体部２の下端はステージ３と接続され、本体部２の上端には切欠き部４が形成されている。ステージ３は、本体部２の下端と接続されて本体部２を支持する。これにより、本体部２が転倒することを防止できる。切欠き部４の詳細な説明については後述する。
【００１０】
次に、本発明のワインボトル用ホルダー１の使用方法を説明する。図３に示すように、ステージ３がテーブル５上に載置された状態で、ワインボトル６の首部７をワインボトル用ホルダー１の切欠き部４に支持させる。このとき、ワインボトル６の底部、すなわち底面８と側面９との角部１０は、テーブル５によって支持される。これにより、ワインボトル６は寝かされた状態、すなわち鉛直方向から角度Ａ１傾いた状態で保持され、ワインボトル６の中のワイン１１の澱１２をワインボトル６の角部１０およびその近傍に沈殿させることができる。
【００１１】
ワインボトル６のワイン１１を注ぐときは、図４に示すように、ワインボトル６を図３に示される姿勢のまま手で上方に持ち上げ、その後、図５に示すように、ワインボトル６を少しだけグラス１３に向かって傾けて、ワイン１１をグラス１３に注ぐ。ワイングラス１１をグラス１３に注ぐときの鉛直方向からの傾き角度をＡ２とする。
【００１２】
ここで、仮にワインボトル６を立ち上げた状態、すなわち鉛直方向からの傾き角度が０度の状態から角度Ａ２まで傾けると、その角度の差Ａ２は大きいためワイン１１の澱１２がワイン１１中で舞い上がって、澱１２もグラス１３に注がれるおそれがある。これに対して、本発明のワインボトル用ホルダー１を使用し、ワインボトル６を角度Ａ１傾けた状態で保持すれば、ワインボトル６を角度Ａ１から角度Ａ２まで傾けることでワイン１１をグラス１３に注ぐことが可能である。これにより、注ぐときに傾ける角度の差Ａ２−Ａ１は小さいため、澱１２がワイン１１中で舞い上がることはなく、澱１２がグラス１３に注がれるという事態を防止でき、ひいては澱１２の苦みによってワイン１１の風味が損なわれることを防止できる。
【００１３】
グラス１３にワイン１１を注いだ後は、図６に示すように、ワインボトル６を傾けたまま、再びワインボトル用ホルダー１に保持させる。すなわち、ワインボトル用ホルダー１に保持されたワインボトル６は、一旦持ち上げられて再びワインボトル用ホルダー１に保持されるまでの間、立ち上げられることなく、常に寝かされた状態、すなわち鉛直方向から角度Ａ１〜Ａ２程度傾いた状態を維持することとなる。そのため、澱１２をワインボトル６の角部１０およびその近傍に沈殿させたまま、繰り返しワイン１１をグラス１３に注ぐことができる。
【００１４】
また、ワインボトル用ホルダー１の切欠き部４は、ワインボトル６の首部７を支持するため、ワインボトル６のラベル１４を上向きにして保持することで、ラベル１４が隠れることがなく、ワインボトル６のデザイン性を損なうこともない。
【００１５】
また、本発明のワインボトル用ホルダー１は、切欠き部４によってワインボトル６の首部７のみを支持するため、ワインバスケットのようにワインボトルの略全体を支持するものと比較して小さく、テーブル５上において邪魔となることもない。
【００１６】
ここで、ステージ３をテーブル５上に載置したときに、テーブル５から切欠き部４に到達するまでの最短距離を、切欠き部４の高さＨとすると、ワインボトル用ホルダー１の切欠き部４の高さＨは、図７に示すように、満杯のワイン１１が入ったワインボトル６の首部７を切欠き部４に支持させたときに、ワイン１１がこぼれない最小の高さである。これにより、開栓直後の満杯のワインボトル６をワインボトル用ホルダー１に保持させることが可能である。具体的には、切欠き部４の高さＨは、例えば、８ｃｍ以上であることが好ましい。
【００１７】
一方で、切欠き部４の高さＨが大きすぎると、図８に示すように、ワインボトル用ホルダー１に保持されたワインボトル６の鉛直方向からの傾き角度Ａ３は、図３や図７に示す角度Ａ１よりも小さくなる。そして、その状態から、図５に示すように、ワイン１１をグラス１３に注ぐために角度Ａ２まで傾かせると、その角度の差Ａ２−Ａ３は、角度の差Ａ２−Ａ１と比較して大きいため、澱１２がワイン１１中で舞い上がって澱１２もグラス１３に注がれる可能性が上がってしまう。また、切欠き部４の高さＨが大きすぎると、ワインボトル６の保持が不安定となる。そのため、切欠き部４の高さＨを一定程度小さくすることが好ましく、例えば、１２ｃｍ以下である。
【００１８】
また、切欠き部４は、ワインボトルの首部を支持できる形状であれば、三角形や四角形等の多角形状であってもよいが、図１及び図２に示すように、円弧形状であることが好ましい。また、切欠き部４の幅Ｗは、ワインボトルの首部を支持できるようにするため、一般的なワインボトルの首部の幅よりも大きくすることが求められ、３ｃｍ以上であることが好ましい。一方で、切欠き部４の幅Ｗが大きすぎると、ワインボトルの首部が切欠き部４にフィットせず、ワインボトルがワインボトル用ホルダー１から落下するおそれがある。そのため、切欠き部４の幅Ｗは一定程度小さくすることが好ましく、例えば５ｃｍ以下である。また、切欠き部４の幅Ｗがある程度大きい場合、ワインボトルをワインボトル用ホルダー１に保持させた状態を上方から見たときに、本体部２の厚みＴ（図２参照）の方向と、ワインボトルの長さ方向との間にズレが生じてしまうことがあり、その場合は支持が不安定になるとともに見栄えが悪くなる。そのため、切欠き部４の幅Ｗは、ワインボトルの首部の幅よりもわずかに大きいくらいが最も好ましく、例えば３ｃｍ以上３．５ｃｍ以下である。
【００１９】
さらに、切欠き部４は、中心角が１８０度の円弧形状、すなわち半円形状であることが好ましい。例えば、切欠き部４が円形状であったり、１８０度より大きい中心角の円弧形状である場合、ワインボトルを鉛直方向に移動させることができないことがある。切欠き部４を中心角が１８０度以下の円弧形状とすることによって、ワインボトルを鉛直方向に移動させることが可能である。また、切欠き部４の円弧形状の中心角が小さすぎると、ワインボトルの首部が幅Ｗの方向に移動してワインボトルがワインボトル用ホルダー１から落下するおそれがある。そのため、安定してワインボトルを保持するために、ある程度中心角が大きい円弧状とすることが求められる。この理由により、切欠き部４は半円形状であることが最も好ましい。
【００２０】
なお、本体部２がステージ３によって支持されることを述べたが、これに限られず、ステージ３がなくともよい。例えば、本体部２の厚みＴ（図２参照）が十分に大きい場合は、本体部２とテーブル５とが接触する面積が大きくなるため、本体部２はステージと接続されなくとも転倒することはほとんどない。本体部２がステージ３によって支持される場合は、本体部２の転倒を防止しつつ、本体部２の厚みＴを小さくすることができる。これにより、ワインボトル用ホルダー１のデザイン性を向上させることできる。
【００２１】
また、ワインボトル用ホルダー１は木製であることが好ましい。ワインボトル用ホルダー１が木製であることによって、ワインボトル６のデザインとマッチし、テーブルを飾ることが可能である。しかしながら、木製に限られず、金属製やプラスチック製としてもよい。
【符号の説明】
【００２２】
１            ワインボトル用ホルダー
２            本体部
３            ステージ
４            切欠き部
５            テーブル
６            ワインボトル
７            首部
８            底面
９            側面
１０          角部
１１          ワイン
１２          澱
１３          グラス
１４          ラベル
【図１】
2016179102.tif 000003
【図２】
2016179102.tif 000004
【図３】
2016179102.tif 000005
【図４】
2016179102.tif 000006
【図５】
2016179102.tif 000007
【図６】
2016179102.tif 000008
【図７】
2016179102.tif 000009
【図８】
2016179102.tif 000010